(57)【特許請求の範囲】
【請求項１】
エレベータかごと複数の乗場を有しエレベータかごが複数の乗場にアクセスするエレベータシステムを有するビルディングへのアクセスを制御するためのエレベータ安全システムであって、前記エレベータシステムは、エレベータかご内に配置されかつ前記複数の乗場の各々を選定する複数の呼びボタンを有するかご操作パネルを含み、該エレベータ安全システムが、
１つ又はそれ以上の複数の乗場の安全を保護するようにアクセスを制限する手段であって、安全な乗場を選定する前記呼びボタンの動作をブロックする手段を含むアクセス制限手段と、
居住者が携行して用い、各々安全な乗場の１つに対応する複数の携帯型送信機であって、対応する安全な乗場のみへのアクセスを与える信号を放出することによって、複数の安全な乗場の中の対応する安全な乗場のみにアクセスを可能とする送信機と、
前記エレベータかご内もしくはロビーに配設されるとともに、前記アクセス制限手段に接続され、かつ前記送信機からの信号を受信し、該信号によってアクセスするための権限を与えられた対応する安全な乗場を判断するとともに、前記アクセス制限手段を介して対応する安全な乗場への要求を受け入れる受信機と、
オンーポジションとオフ−ポジションとを有するとともに、居住者によって操作されるように各乗場に設けられ、かつ前記アクセス制限手段に接続されたスイッチであって、前記アクセス制限手段を介して、オン−ポジションでは特定の乗場を選定する呼びボタンが動作されないようにアクセスの制限を与え、オフ−ポジションでは特定の乗場を選定する呼びボタンが動作するようにオープンアクセスを与えるスイッチと、
前記スイッチに関連して設けられ、前記スイッチがオフ−ポジションに位置されてから所定期間の経過後に、警報機をトリガするタイマーと、
を備えたことを特徴とする、エレベータ安全システム。
【請求項２】
前記送信機の各々が、動作時に前記対応する安全な乗場にアクセスさせる信号を該送信機から放出させるボタンを含むことを特徴とする、請求項１に記載のエレベータ安全システム。
【請求項３】
前記エレベータシステムは、エレベータかご内に配置されかつ前記複数の乗場の各々を選定する複数の呼びボタンを有する前記かご操作パネルを含み、前記乗場は複数の安全な乗場と共通乗場を含み、前記共通乗場は前記アクセス制限手段によってアクセスが制限されることがあり、前記送信機の各々は第２の動作時に共通乗場にアクセスする第２の信号を放出し、前記受信機は、第２の信号を受信すると、共通乗場を選定する呼びボタンが動作可能となるように共通乗場の呼びボタンの制限を解除することを特徴とする、請求項１に記載のエレベータ安全システム。
【請求項４】
前記エレベータシステムは、エレベータかご内に配置されかつ前記複数の乗場の各々を選定する複数の呼びボタンを有する前記かご操作パネルを含み、前記乗場は複数の安全な乗場と共通乗場を含み、前記共通乗場は前記アクセス制限手段によってアクセスが制限されることがあり、前記送信機の各々は動作時に共通乗場にアクセスする第２の信号を放出する第２のボタンを有し、前記受信機は、第２の信号を受信すると、共通乗場を選定する呼びボタンが動作可能となるように共通乗場の呼びボタンの制限を解除することを特徴とする請求項２に記載のエレベータ安全システム。
【請求項５】
エレベータかごと複数の乗場を有しエレベータかごが複数の乗場にアクセスするエレベータシステムを有するビルディングへのアクセスを制御するためのエレベータ安全システムであって、前記エレベータシステムは、エレベータかご内に配置されかつ前記乗場を選定する複数の呼びボタンを有するかご操作パネルを含み、該エレベータ安全システムが、
１つ又はそれ以上の複数の乗場の安全を保護するようにアクセスを制限する手段であって、安全な乗場を選定する前記呼びボタンの動作をブロックする手段を含むアクセス制限手段と、
居住者が携行して用い、安全な乗場の１つに対応する携帯型送信機であって、対応する安全な乗場のみへのアクセスを与える信号を放出することによって、複数の安全な乗場の中の対応する安全な乗場のみにアクセスを可能とする送信機と、
前記エレベータかご内もしくはロビーに配設されるとともに、前記アクセス制限手段に接続され、かつ前記送信機からの信号を受信し、該信号によってアクセスするための権限を与えられた特定の乗場を判断するとともに、前記アクセス制限手段を介してこの特定の乗場への要求を受け入れる受信機と、
オンーポジションとオフ−ポジションとを有するとともに、居住者によって操作されるように対応する乗場に設けられ、かつ前記アクセス制限手段に接続されたスイッチであって、前記アクセス制限手段を介して、オン−ポジションでは対応する乗場を選定する呼びボタンが動作されないようにアクセスの制限を与え、オフ−ポジションでは対応する乗場を選定する呼びボタンが動作するようにオープンアクセスを与えるスイッチと、
前記スイッチに関連して設けられ、前記スイッチがオフ−ポジションに位置されてから所定期間の経過後に、警報機をトリガするタイマーと、
を備えたことを特徴とする、エレベータ安全システム。
【請求項６】
前記送信機が、動作時に前記対応する安全な乗場にアクセスさせる信号を送信機から放出させるボタンを含むことを特徴とする、請求項５に記載のエレベータ安全システム。
【請求項７】
前記エレベータシステムは、前記エレベータかご内に配置されかつ乗場を選定する複数の呼びボタンを有する前記かご操作パネルを含み、前記乗場は複数の安全な乗場と共通乗場を含み、前記共通乗場は前記アクセス制限手段によってアクセスが制限されることがあり、前記送信機は第２の動作時に共通乗場にアクセスする第２の信号を放出し、前記受信機は、前記第２の信号を受信すると、前記共通乗場を選定する呼びボタンが動作可能となるように前記共通乗場を選定する呼びボタンの制限を解除することを特徴とする、請求項５に記載のエレベータ安全システム。
【請求項８】
前記エレベータシステムは、前記エレベータかご内に配置されかつ乗場を選定する複数の呼びボタンを有する前記かご操作パネルを含み、前記乗場が複数の安全な乗場と共通乗場を含み、前記共通乗場は前記アクセス制限手段によってアクセスが制限されることがあり、前記送信機は動作時に共通乗場にアクセスする第２の信号を放出する第２のボタンを有し、前記受信機は、前記第２の信号を受信すると、前記共通乗場を選定する呼びボタンが動作可能となるように前記共通乗場を選定する呼びボタンの制限を解除することを特徴とする、請求項６に記載のエレベータ安全システム。
【請求項９】
エレベータシステムを有するビルディングへのアクセスを制御する方法であって、
前記エレベータシステムは、エレベータかごと、複数の乗場と、前記エレベータかご内もしくはロビーに配設された受信機と、居住者が携行して用いるワイヤレス携帯送信機と、を有し、前記エレベータかごが複数の乗場にアクセスするとともに、前記エレベータかご内に配置されかつ前記乗場に対応する呼びボタンを有するかご操作パネルを含み、さらに、各乗場には、オンーポジションとオフ−ポジションとを有するとともに居住者によって操作されるスイッチが設けられ、オン−ポジションでは特定の乗場を選定する呼びボタンが動作されないようにアクセスの制限を与え、オフ−ポジションでは特定の乗場を選定する呼びボタンが動作するようにアクセスの制限を解除するものにおいて、
該アクセス制御方法は、
１つ又はそれ以上の複数の乗場の安全を保護するようにアクセスを制限し、この安全な乗場を選定する前記呼びボタンの動作をブロックするステップと、
前記受信機が、前記送信機が特定の乗場にアクセスする権限を与えられている送信機であることを識別する信号を、前記送信機から受けたときに、その特定の乗場へのアクセスを可能とするステップと、
前記スイッチが前記オフ−ポジションに動いたときに特定の乗場へのアクセスの制限を解除するステップと、
前記スイッチが前記オン−ポジションに戻ったときに特定の乗場へのアクセスを再び制限するステップと、
前記スイッチがオフ−ポジションに位置されてからオン−ポジションに戻らずに所定期間経過したときに、警報機をトリガするステップと、
を備えることを特徴とする、エレベータ安全システムのアクセス制御方法。
【発明の詳細な説明】
【０００１】
【発明の属する技術分野】
本発明は、エレベータシステムに係り、特にエレベータシステムに組み込まれた安全システム（セキュリティシステム）に関する。
【０００２】
【従来の技術】
居住ビルディングであれ、商業ビルディングまたはこれらの組み合わせであれ、安全は居住者にとって重要なことである。権限を与えられた個々の居住者がビルディングの種々のフロアに入ることができるという知識において、全ての居住者達は安全である必要がある。
【０００３】
高層ビルディングに対して、入居の主な方法はエレベータシステムによる。エレベータシステムの利点は、ビルディングを通して多数の人々を移動させるために、速い、効率よくかつ便利であることである。
【０００４】
【発明が解決しようとする課題】
安全なエレベータシステムを提供する一つの方法は安全のためにアクセスを制限する必要があるあるフロアに運行するために一つのエレベータシステムを指定することである。他のエレベータシステムはアクセスが制限されていないフロアにアクセスできるが、安全のためにアクセスが制限されたフロアにはアクセスできない。この種の主な欠点は、安全なフロアのために別のエレベータシステムを用いるとともにそのアクセスを制限するための経費である。
【０００５】
他の方法は、安全なフロアにアクセスする必要がある各居住者に磁気カードを与えることである。磁気カードは、かご操作パネルと一体のカード読取り装置に係合される。磁気カードはビルディングの安全なフロアにアクセスできるコードを持っている。この方法の欠点は、カードを紛失又は置き違えされると、ビルディングの安全なフロアにアクセスできる権限が与えられた居住者以外の者によって使用されることである。さらに、この方法はカードとカードリーダ間の物理的な相互作用を必要とする。これは不便でありかつ身体障害者を持つ居住者にとっては不可能である。この方法に代るものは、使用者が当該使用者を識別するためにかご操作パネル（ＣＯＰ）のキーパッドにコードを入力する必要があるということである。コードが認識されると、使用者は安全なフロアにアクセスすることが許される。これらの両方の方法は面倒なものとなり、かつ後者のものでは、使用者が識別コードを記憶する必要がある。さらに、これらの両方の方法は安全なフロアの居住者としてカード又はキーパッドの使用者を識別する。
【０００６】
他の変形例としては、使用者が遠隔制御装置とこの遠隔操作装置と一体のキーパッドを備えていることである。エレベータに近づくとき、使用者が、当該使用者を識別するための安全コードを入力するとともに、所望の行先を入力する。これは磁気カードに勝る改良であるけれども、キーパッドにコードを入力することが面倒であるとともに、使用者が安全コードを記憶する必要がある。
【０００７】
上述の技術に拘わらず、出願人の譲受け人の方向に基づいて科学者と技術者達は、エレベータ用安全システムを効率的かつ簡単に使用できるようにするために、研究している。
【０００８】
本発明は、上述の従来技術の問題点に鑑みてなされたもので、その目的は効率的にして簡単に使用できるとともに高信頼性のエレベータ用安全システムを提供することである。
【０００９】
【課題を解決するための手段】
本発明によれば、エレベータ安全システムは、１つ又はそれ以上の乗場へのアクセスを安全にするための手段、安全な乗場の１つに対応する送信機、および受信機を含んでいる。送信機は、安全な乗場のみにアクセスする居住者を識別する信号を放出することによって、安全な乗場のみにアクセスさせる。ここで使用されている居住者という語は、ビルディング内に住居を持っている人と、ビルディングの商業上使用する部分における労働者のようなビルディングにアクセスすることのみを必要とする人の双方のことである。
【００１０】
さらに、本発明の実施例によれば、特定の乗場に対して安全性を示す各安全な乗場用のスイッチを含んでいる。スイッチは、居住者がアクセス可能な位置に配置されているとともに、オン−ポジションとオフ−ポジションを持っている。オン−ポジションは安全な乗場へのアクセスを提供し、オフ−ポジションは、かご操作パネルの特定の安全な乗場を選定する呼びボタンが動作できることを選定するように安全な乗場へのオープンアクセスを提供する。さらに、本発明の実施例によれば、エレベータ安全システムは、スイッチがオフ−ポジションに切換えられることに続いて所定の期間が過ぎた後に警報をトリップするタイマーを含んでいる。
【００１１】
エレベータ安全システムに使用される送信機は、動作時に、その送信機に対応する安全な乗場にアクセスさせる信号を放出する。信号は、エレベータシステムと、送信機がアクセスできる権限を有する特定な乗場を識別するようにプログラムされている。シングルボタンの特色は送信機の使用を容易にすることである。例えば磁気カードのようなかご操作パネルに物理的に係合されるべき装置はなく、かつ例えば一体型キーパッドやキーパッド型送信機のようなアクセスを得るために記憶されかつ挿入されるべき安全コードもない。
【００１２】
さらに本発明の実施例によれば、送信機は第２のホタンを含んでおり、この第２のボタンは、動作にあたって、１つ又はそれ以上の共通乗場にアクセスさせる信号を放出する。共通の乗場はロビー，スイミングプール領域，又は複数の居住者がアクセスする必要のある他の領域に関連している。第２のボタンによって放出される信号は操作パネルの乗場を選定する呼びボタンを不安全にすることによるこれらの乗場へのアクセスを開放する。エレベータかごに入るときに、居住者は共通の乗場呼びボタンを動作させることが出来る。この実施例の利点は、共通の領域が非居住者がアクセスするのに安全であるということである。
【００１３】
前述したことおよび他の目的，特徴および利点は、添付図面に示されているような実施例の詳細な説明に鑑みて、より明らかになる。
【００１４】
【発明の実施の形態】
図１はフロア又は乗場に運行する少なくとも１つのエレベータかごを有するビルディング（図示せず）のエレベータ安全システムを示す。安全システム１２は複数の送信機１６，受信機１８，コントローラ２２，複数の乗場スイッチ２４、および保守／緊急スイッチ３６を含んでいる。エレベータかご１４は受信機１８とかご操作パネル（ＣＯＰ）２８を含んでいる。以下の説明から明らかなように、ビルディングにおけるフロア又は乗場の数とフロアの居住者の数に応じて送信機と乗場の数があるけれども、図１に示すように、Ｎ個の送信機とＮ個の乗場スイッチがある。
【００１５】
各送信機１６は、ワイヤレスリモート制御によって操作されるとともに、個別ボタン３２，共通ボタン３４，および信号放射器３６を含んでいる。ボタン３２，３４の何れかの操作によって放射器３６が信号を送信する。受信機１８は、かご操作パネル（ＣＯＰ）の近くに配置され、かつ送信機１６によって放出された信号を受信する。そのような信号を受信すると、受信機１８はこの信号をコントローラ２２に送る。コントローラ２２は受信機１８，スイッチ２４，２６およびかご操作パネル（ＣＯＰ）２８から受信した信号を処理する処理装置である。コントローラ２２は、これらの信号を処理し、コントローラ２２によって受けられた信号に応答して特定の呼びボタンをロック又はアンロックすることによって、かご操作パネル（ＣＯＰ）の動作を制御する。
【００１６】
かご操作パネル（ＣＯＰ）２８は複数の呼びボタン３８を含んでいる。複数の呼びボタン３８はオープンアクセスボタン４２，共通ボタン４４および個別ボタン４６を含んでいる。オープンアクセスボタン４２は、送信機１６なくして、かつ乗場スイッチ４２の１つを操作する能力を有する居住者からの許可なくして、アクセスできるオープンアクセス乗場を選定する。オープンアクセス乗場はビルディングに入る人にとってエレベータを介してアクセス可能である。共通ボタン４４は、ビルディング用の送信機１６を有する全ての居住者にアクセス可能であるが、送信機１６を持っていない人には保証されない共通の乗場を選定する。個別ボタン４６は、特定の乗場に対応する特定の送信機を有する人々にのみアクセス可能である個別の乗場を選定する。
【００１７】
複数の乗場スイッチの各々は、コントローラ２２と接続されているとともに、特定の乗場に近接して配置されている。位置は例えばその乗場の居住者にアクセス可能であるように選択されている。１つの乗場に対して多くの住居を有する適用に対しては、配置された乗場スイッチを各住居に備えるように、１つの乗場に対して１つ以上のスイッチを使用することもできる。スイッチはオン−ポジションとオフ−ポジションを含んでいる。オン−ポジションでは、安全システムは係合されており、かつかご操作パネル上のその個別の乗場を示す個別ボタン４６はロックされる。このシナリアにおいて、その乗場へのアクセスはその乗場に対応する送信機の動作によって許可されるのみである。オフ−ポジションにおいては、特定の乗場を選定するかご操作パネル（ＣＯＰ）上の個別ボタン４６はアンロックされる。エレベータかご１４に入る人は特定の個別ボタン４６を操作するとともにその個別乗場に対する呼び要求を行う。乗場スイッチ２４の各々はもちろん警報機５２に接続されているタイマー４８を含んでおり、タイマー４８はその所望の期間が終了するとアラーム５２をトリガし、警報機はその乗場の居住者によって確認可能である。警報機は音響，視覚，双方の組み合わせ、又は居住者によって確認できる他の手段である。
【００１８】
図１に示されている実施例には示されていないけれども、共通乗場の居住者の許可を得ている訪問者による共通乗場へのアクセスを許可するために、共通乗場に乗場スイッチがあってもよい。
【００１９】
保守緊急スイッチ２６は、もちろんコントローラに接続されているとともに、安全システムを無効にするために保守又は緊急要員のどちらかのための手段を備えているとともに、エレベータを操作する。このスイッチ２６は、ビルディングの安全要員の制御のもとにスイッチ２６を作動するのに要求されるキーを有するキースイッチである。このキースイッチ２６によって、エレベータシステムの必要な運行のための保守要員はエレベータを制御できるとともに、ビルディング内又は特定の乗場での緊急時において火災と救助要員がアクセスすることを許可される。
【００２０】
図２に示すように、安全システムの動作中に、ビルディングの乗場へのアクセスを望む人は、エレベータかご１４に入り、所望の乗場が安全な乗場であるか否かを判断する。所望の乗場が安全な乗場でなければ、人は、所望の乗場を選定するかご操作パネル（ＣＯＰ）上のオープンアクセス呼びボタンを操作することによって、所望の乗場４２を要求し、その乗場に移行する。
【００２１】
所望の乗場が安全な乗場でありかつ要求者が送信機１６の１つを有するビルディングの居住者であれば、要求者が送信機１６のボタン３２，３４の１つを操作する。個別乗場の１つにアクセスするために、第１のボタン３２は操作され、第１のボタン３２はその個別乗場の居住者としての要求者を識別する信号を送信機１６に放出させる。受信機１８はコントローラ２２に信号を与え、コントローラ２２は要求者によって識別可能なメッセージを介しての要求を識別する。要求が否、例えば不正な送信機が使用されているか又は送信機が不動作であれば、メッセージはエラーの要求者を知らせる表示がなされる。アクセスを否定するための識別または理由は、例えばビデオディスプレイを視覚的に使用するか又はオーディオスピーカを音響的に使用する一般の方法で表示される。
【００２２】
要求者が居住者でありかつ共通の乗場を望むならば、要求者は送信機の共通ボタン３４を操作し、居住者でありかつ共通の乗場へのアクセスのための要求としての使用者を識別する第２の信号を出力する。受信機１８はコントローラ２２に信号を送り、コントローラ２２は共通の乗場を示すかご操作パネル（ＣＯＰ）２８の共通呼びボタン４８をアンロックする。それから、要求者は所望の乗場を示す共通呼びボタン４４を操作する。要求の確認もしくは要求された乗場へのアクセスを否定する理由を与えるメッセージが表示される。要求がなされた後または所定の期間が終わった後に、コントローラ２２は再び共通呼びボタンをロックする。
【００２３】
所定の乗場が安全な乗場でありかつ人が訪問者すなわち所望の乗場の居住者でなければ、訪問者は（一般の電話又は居住者との他の通信手段を介して）所望の乗場へアクセスするために居住者の許可を要求する。そのような許可がなされると、居住者はその乗場スイッチ２４をオフ−ポジションに動かし、コントローラ２２は特定の乗場のみのためのかご操作パネル（ＣＯＰ）２８の個別呼びボタン２４をアンロックする。訪問者はエレベータ１４に入り所望の乗場を選定する個別ボタン４６を操作する。一担、訪問者が到着すると、居住者は乗場スイッチ２４をオン−ポジションに戻し、特定の安全な乗場用の個別呼びボタンの操作が個別乗場へのかご要求が出来ないように再びロックする。居住者が乗場スイッチ２４をオン−ポジションに戻すのを忘れた場合は、所定時間が経過した後にタイマー４８が警報機５２をトリガする。乗場スイッチ２４がオン−ポジションに戻されるまで、警報機５２は係合したままである。
【００２４】
エレベータシステムの保守の間の動作が図３に示されている。保守要員は保守送信機５４にアクセスし、かつビルディングの保安要員からビルディングのエレベータシステムのためのマスタキー５６を得なければならない。キーは保守スイッチ２６に係合し、保守送信機５４のボタン５８は動作される。受信した信号を識別すると、マスタキー５６は、安全システムを無効にするためにオフ−ポジションに切り換わり、かつ特定のエレベータシステムについて作業することを許可する。保守が終了すると、保守スイッチ２６は通常の操作位置に戻され、キー５６はビルディング安全要員に戻される。マスタキー５６と保守送信機５４の必要な組合わせは双方が不法に得られた場合に安全性を供給する。
【００２５】
ビルディング安全要員はまた、保守送信機５４に類似した安全送信機にもアクセスする。しかし、それがコード化されている特定のビルディング用のエレベータシステムにアクセスする場合は除かれる。これにより、要員が１つのビルディングから自分の安全送信機を使用する他のビルディングにアクセスすることが防止される。緊急事態がビルディングに発生しかつ安全要員又は緊急要員の注意が必要であると、安全送信機との組合わせでマスタキー５６は、安全システムを無効にするために使用され、かつ緊急要員に注意を必要とする乗場にアクセスすることを許可する。
【００２６】
【発明の効果】
本発明の特殊な局面はビルディング居住者の特殊な必要性に応じて変る。ある適用面では、受信機を主ロビーの乗場近くの領域に配置できる。この実施例においては、送信機によって発せられた信号は、居住者を識別することに加えて、かご要求を受け入れるのに使用できる。他の変形において、信号は使用者についてのさらなる情報を提供するためにコード化されたものを用いることが出来る。この変形として、車いすを使用する身体障害者のための長いドア開期間のような、居住者の特別な要求を識別できる。
【００２７】
本発明のさらなる利点は、ビルディングの居住者が自己の特定な乗場に対する安全なアクセス（つまりアクセスの制限）を一時的に不動作にすることが出来ることである。これにより、居住者はその安全な乗場への権限を有しない人すなわち訪問者をかごに入れ、その安全な乗場用の呼びボタンのみを動作させることが出来ることである。続いて、その特殊な乗場への安全なアクセスはオン−ポジションに戻すことによって再作動される。警報機の特徴はスイッチが所定期間以上に亘ってオフ−ポジションに維持されている居住者に機敏に対応することである。本発明のさらなる利点は、その特定の安全な乗場にスイッチが効果的に作用するとともに、残りの安全な乗場はこれらの安全な乗場に関連するスイッチによって独立に制御される、ことである。
【００２８】
本発明は模範的な実施例に関して開示されているけれども、種々な変形，省略および追加は、発明の精神と範囲から逸脱することなく、可能であることは当業者によって理解できるものである。
【図面の簡単な説明】
【図１】エレベータ安全システムの概略ブロック図。
【図２】居住者と訪問者のためのエレベータ安全システムの動作の機能ブロック図。
【図３】保守要員によって又は緊急事態において使用するためのエレベータ安全システムの動作の機能ブロック図。
【符号の説明】
１２…エレベータ安全システム
１４…エレベータかご
１６…送信機
１８…受信機
２２…コントローラ
２４…乗場スイッチ
２６…保守／緊急スイッチ
２８…かご操作パネル（ＣＯＰ）
３２…個別ボタン
３４…共通ボタン
３６…信号放出源
３８…呼びボタン
４２…アクセスボタン
４４…共通呼びボタン
４６…個別ボタン
４８…タイマー
５２…警報機
５４…保守用送信機
５６…マスタキー
５８…ボタン
【図１】
0003959133.tif 000002
【図２】
0003959133.tif 000003
【図３】
0003959133.tif 000004